(57)【要約】【課題】この発明は、受信側ファクシミリ装置で受信された原稿画像を受信者が読んだか否かを送信側ファクシミリ装置に通知することができるファクシミリ装置を提供することを目的とする。【解決手段】受信処理手段は、受信時において送信側ファクシミリ装置から送られてきた通信制御信号から送信側ファクシミリ装置のＦＡＸ番号を抽出する手段、ならびに抽出したＦＡＸ番号をコード化された画像に変換し、得られたコード化画像を受信画像とともに記録紙に印字することにより受信原稿を得る手段を備えおり、返信モードによる送信処理手段は、原稿読み取り部にセットされた受信原稿を読み取る手段、読み取った受信原稿画像からコード化画像を抽出する手段、抽出したコード化画像をＦＡＸ番号に変換する手段、得られたＦＡＸ番号を宛て先として、受信確認メッセージを送信する手段を備えている。【選択図】  図１
2004236058.tif 000002
【特許請求の範囲】
【請求項１】
受信時に実行される受信処理手段と、受信原稿が原稿読み取り部にセットされた後に、所定の返信指令が入力されたときに実行される送信処理手段を備えており、
受信処理手段は、受信時において送信側ファクシミリ装置から送られてきた通信制御信号から送信側ファクシミリ装置のＦＡＸ番号を抽出する手段、ならびに抽出したＦＡＸ番号をコード化された画像に変換し、得られたコード化画像を受信画像とともに記録紙に印字することにより受信原稿を得る手段を備えおり、
返信モードによる送信処理手段は、原稿読み取り部にセットされた受信原稿を読み取る手段、読み取った受信原稿画像からコード化画像を抽出する手段、抽出したコード化画像をＦＡＸ番号に変換する手段、得られたＦＡＸ番号を宛て先として、受信確認メッセージを送信する手段を備えていることを特徴とするファクシミリ装置。
【発明の詳細な説明】
【０００１】
【産業上の利用分野】
この発明は、ファクシミリ装置に関する。
【０００２】
【従来の技術】
従来のファクシミリ通信システムでは、送信側ファクシミリ装置から原稿画像を受信側ファクシミリ装置に対してファクシミリ送信した場合に、受信側ファクシミリ装置で受信された原稿画像を受信者が読んだか否かを送信側ファクシミリ装置において確認できないという問題があった。
【０００３】
そこで、受信側ファクシミリ装置の受信トレーに置かれた受信原稿が取り除かれたときに、受信原稿が読まれたことを送信側ファクシミリ装置に通知するといった技術（以下、第１の従来技術という）が既に開発されている（特開平９−３１２７２０号公報参照）。
【０００４】
また、送信側ファクシミリ装置において、ファクシミリ送信時に返信先のＦＡＸ番号をコード化した画像を含むカバーページを作成して送信し、受信側ファクシミリ装置ではオペレータがそのカバーページを返信モードでＦＡＸ送信操作を行うと、装置側でコード化された返信先ＦＡＸ番号を読み取って、送信元のファクシミリ装置に返信するといった技術（以下、第２の従来技術という）も既に開発されている（特開２０００−２２４３４７号公報参照）。
【０００５】
上記第１の従来技術では、同一の受信トレー上に送信元が異なる複数の受信原稿が留まっている状態から、全ての受信原稿が取り除かれた場合、どの送信元から送られてきた受信原稿が読まれたかを判別することができなくなるという問題がある。
【０００６】
上記第２の従来技術では、送信側ファクシミリ装置は返信先のＦＡＸ番号をコード化した画像を含むカバーページを作成して送信する必要がある。また、受信側ファクシミリ装置では、コード化された返信先ＦＡＸ番号を読み取って、送信元のファクシミリ装置に返信する必要がある。このため、送信側ファクシミリ装置および受信側ファクシミリ装置の双方に、特別の機能を持たせる必要があるという問題がある。
【０００７】
【特許文献１】特開平９−３１２７２０号公報
【特許文献２】特開２０００−２２４３４７号公報
【０００８】
【発明が解決しようとする課題】
この発明は、受信側ファクシミリ装置で受信された原稿画像を受信者が読んだか否かを送信側ファクシミリ装置に通知することができ、しかも送信側ファクシミリ装置に特別の機能を持たせる必要がないファクシミリ装置を提供することを目的とする。
【０００９】
【課題を解決するための手段】
請求項１に記載の発明は、受信時に実行される受信処理手段と、受信原稿が原稿読み取り部にセットされた後に、所定の返信指令が入力されたときに実行される送信処理手段を備えており、受信処理手段は、受信時において送信側ファクシミリ装置から送られてきた通信制御信号から送信側ファクシミリ装置のＦＡＸ番号を抽出する手段、ならびに抽出したＦＡＸ番号をコード化された画像に変換し、得られたコード化画像を受信画像とともに記録紙に印字することにより受信原稿を得る手段を備えおり、返信モードによる送信処理手段は、原稿読み取り部にセットされた受信原稿を読み取る手段、読み取った受信原稿画像からコード化画像を抽出する手段、抽出したコード化画像をＦＡＸ番号に変換する手段、得られたＦＡＸ番号を宛て先として、受信確認メッセージを送信する手段を備えていることを特徴とする。
【００１０】
【発明の実施の形態】
以下、図面を参照して、この発明の実施の形態について説明する。
【００１１】
図１は、ファクシミリ装置の構成を示している。
【００１２】
ファクシミリ装置１０は、操作部１、制御部２、原稿読み取り部３、データ変換部４、通信部５、受信確認メッセージ生成部６、プリント記録部７等を備えている。操作部１は、通常設けられているキーの他、返信キー１ａが設けられている。返信キー１ａが押されると、返信モードでのファクシミリ送信が行われる。
【００１３】
データ変換部４は、ＦＡＸ番号等を対応するバーコードの画像データに変換したり、返信モード時において、原稿読み取り部３によって読み取られた原稿からバーコード画像を抽出し、抽出したバーコード画像を対応するＦＡＸ番号等に変換したりする機能を備えている。
【００１４】
このファクシミリ装置の送信時の動作は、通常のファクシミリ装置と同じである。つまり、原稿読み取り部３で読み取られた原稿画像が、通信部５を介してユーザによって設定された宛て先に送信される。
【００１５】
このファクシミリ装置では、受信時の動作が、通常のファクシミリ装置と異なっている。また、このファクシミリ装置は、返信モードでのファクシミリ送信機能を備えている。以下、受信時の動作および返信モードでのファクシミリ送信動作について説明する。
【００１６】
図２は、受信時のファクシミリ装置の動作を示している。
【００１７】
前処理が行われた後、原稿画像データを受信すると（ステップ１）、前処理において受信したＴＳＩ信号（送信端末識別信号）に含まれている送信側ファクシミリ装置のＦＡＸ番号を抽出する（ステップ２）。
【００１８】
抽出された送信側ファクシミリ装置のＦＡＸ番号は、受信日時および受信ページ総数（ぺージ数）とともに、データ変換部４に送られる。データ変換部４は、送信側ファクシミリ装置のＦＡＸ番号、受信日時および受信ページ総数を、バーコード画像データに変換する（ステップ３）。なお、ＦＡＸ番号、受信日時および受信ページ総数の境界部には、所定の区切りコードに対応するバーコードが入れられる。
【００１９】
受信した１頁目の原稿画像データにバーコード画像データを合成した後（ステップ４）、全受信原稿画像データをプリント記録部７にて記録紙に印字する（ステップ５）。このようにして、受信原稿が得られる。
【００２０】
バーコードの画像データは、たとえば、記録紙の予め定められた領域、例えば、記録紙の上端部または下端部に印刷されるように、受信した画像データに合成される。なお、バーコードの画像データを受信した各ページの画像データに合成してもよい。図３は、バーコード画像データが上端部に印字された１頁目の受信原稿の一例を示している。
【００２１】
このようにして、受信した画像データが記録紙に印字されると、オペレータは、１頁の受信原稿を原稿読み取り部３にセットした後、返信キー１ａを押す。すると、返信モードでのファクシミリ送信動作が開始される。
【００２２】
図４は、返信モードでのファクシミリ送信動作を示している。
【００２３】
受信原稿が原稿読み取り部３にセットされた後に、返信キー１ａが押されると（ステップ１１）、原稿読み取り部３は当該受信原稿の画像を読み取る（ステップ１２）。読み取られた原稿画像は、データ変換部４に送られる。データ変換部４は、読み取られた原稿画像からバーコード画像を抽出し（ステップ１３）、抽出したバーコード画像を対応するＦＡＸ番号、受信日時および受信ページ総数に変換する（ステップ１４）。得られたＦＡＸ番号、受信日時および受信ページ総数は、通信部５および受信確認メッセージ生成部６に送られる。
【００２４】
受信確認メッセージ生成部６は、受信した旨のメッセージと、当該ファクシミリ装置（受信局）のＦＡＸ番号と、データ変換部４から得られた受信日時および受信ページ総数と、ステップ１２で読み取った原稿画像の一部とを含む受信確認メッセージを生成する（ステップ１５）。生成された受信確認メッセージは、通信部５に送られる。図５は、受信原稿が図３に示すようなものであった場合に作成される受信確認メッセージ画像の一例を示す。
【００２５】
通信部５は、データ変換部４から与えられたＦＡＸ番号を相手先として、受信確認メッセージ生成部６から与えられた受信確認メッセージをＦＡＸ送信する（ステップ１６）。これにより、受信確認メッセージが、送信元のファクシミリ装置に送られるので、送信元のファクシミリ装置のオペレータは、自己が送った原稿が受信側ファクシミリ装置のオペレータによって読まれたことを確認することができる。
【００２６】
【発明の効果】
この発明によれば、受信側ファクシミリ装置で受信された原稿画像を受信者が読んだか否かを送信側ファクシミリ装置に通知することができ、しかも送信側ファクシミリ装置に特別の機能を持たせる必要がないファクシミリ装置が実現する。
【図面の簡単な説明】
【図１】ファクシミリ装置の構成を示すブロック図である。
【図２】受信時のファクシミリ装置の動作を示すフローチャートである。
【図３】バーコード画像データが上端部に印字された１頁目の受信原稿の一例を示す模式図である。
【図４】返信モードでのファクシミリ送信動作を示すフローチャートである。
【図５】受信確認メッセージ画像の一例を示す模式図である。
【符号の説明】
１  操作部
１ａ  返信キー
２  制御部
３  原稿読み取り部
４  データ変換部
５  通信部
６  受信確認メッセージ生成部
７  プリント記録部
【図１】
2004236058.tif 000003
【図２】
2004236058.tif 000004
【図３】
2004236058.tif 000005
【図４】
2004236058.tif 000006
【図５】
2004236058.tif 000007